【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
骨材と珪藻土と石灰との主体混合物と、
水との混合物からなる非焼成セラミックス体であって、
前記主体混合物の配合率を、骨材が４０〜６０質量％、珪藻土が２０〜４０質量％、石灰が１０〜３０質量％とし、
水の配合率を前記主体混合物の合計質量に対して５〜２５質量％としたことを特徴とする非焼成セラミックス体。
【請求項２】
骨材と珪藻土と石灰とセメントとの主体混合物と、
水との混合物からなる非焼成セラミックス体であって、
前記主体混合物の配合率を、骨材が４０〜６０質量％、珪藻土が２０〜４０質量％、石灰が１０〜３０質量％、セメントが１〜２０質量％とし、
水の配合率を前記主体混合物の合計質量に対して５〜２５質量％としたことを特徴とする非焼成セラミックス体。
【請求項３】
骨材と珪藻土と石灰との主体混合物と、
水と、
合成樹脂エマルションとの混合物からなる非焼成セラミックス体であって、
前記主体混合物の配合率を、骨材が４０〜６０質量％、珪藻土が２０〜４０質量％、石灰が１０〜３０質量％とし、
水の配合率を前記主体混合物の合計質量に対して５〜２５質量％とし、
合成樹脂エマルションの配合率を前記主体混合物の合計質量に対して１〜１０質量％としたことを特徴とする非焼成セラミックス体。
【請求項４】
骨材と珪藻土と石灰とセメントとの主体混合物と、
水と、
合成樹脂エマルションとの混合物からなる非焼成セラミックス体であって、
前記主体混合物の配合率を、骨材が４０〜６０質量％、珪藻土が２０〜４０質量％、石灰が１０〜３０質量％、セメントが１〜２０質量％とし、
水の配合率を前記主体混合物の合計質量に対して５〜２５質量％とし、
合成樹脂エマルションの配合率を前記主体混合物の合計質量に対して１〜１０質量％としたことを特徴とする非焼成セラミックス体。
【請求項５】
前記合成樹脂エマルションがエチレン酢酸ビニル共重合体エマルションであることを特徴とする請求項３又は４記載の非焼成セラミックス体。
【請求項６】
前記骨材が廃陶磁器粉砕物であることを特徴とする請求項１、２、３、４、又は５記載の非焼成セラミックス体。
【請求項７】
前記珪藻土が石川県産の珪藻土であることを特徴とする請求項１、２、３、４、５、又は６記載の非焼成セラミックス体。
【請求項８】
骨材と珪藻土と石灰との主体混合物と、
水とを混合した後、成形し、乾燥させることを特徴とする非焼成セラミックス体の製造方法。
【請求項９】
骨材と珪藻土と石灰とセメントとの主体混合物と、
水とを混合した後、成形し、乾燥させることを特徴とする非焼成セラミックス体の製造方法。
【請求項１０】
骨材と珪藻土と石灰との主体混合物と、
水と、
合成樹脂エマルションとを混合した後、成形し、乾燥させることを特徴とする非焼成セラミックス体の製造方法。
【請求項１１】
骨材と珪藻土と石灰とセメントとの主体混合物と、
水と、
合成樹脂エマルションとを混合した後、成形し、乾燥させることを特徴とする非焼成セラミックス体の製造方法。
【請求項１２】
前記主体混合物の配合率を、骨材が４０〜６０質量％、珪藻土が２０〜４０質量％、石灰が１０〜３０質量％とし、
水の配合率を前記主体混合物の合計質量に対して５〜２５質量％としたことを特徴とする請求項８記載の非焼成セラミックス体の製造方法。
【請求項１３】
前記主体混合物の配合率を、骨材が４０〜６０質量％、珪藻土が２０〜４０質量％、石灰が１０〜３０質量％、セメントが１〜２０質量％とし、
水の配合率を前記主体混合物の合計質量に対して５〜２５質量％としたことを特徴とする請求項９記載の非焼成セラミックス体の製造方法。
【請求項１４】
前記主体混合物の配合率を、骨材が４０〜６０質量％、珪藻土が２０〜４０質量％、石灰が１０〜３０質量％とし、
水の配合率を前記主体混合物の合計質量に対して５〜２５質量％とし、
合成樹脂エマルションの配合率を前記主体混合物の合計質量に対して１〜１０質量％としたことを特徴とする請求項１０記載の非焼成セラミックス体の製造方法。
【請求項１５】
前記主体混合物の配合率を、骨材が４０〜６０質量％、珪藻土が２０〜４０質量％、石灰が１０〜３０質量％、セメントが１〜２０質量％とし、
水の配合率を前記主体混合物の合計質量に対して５〜２５質量％とし、
合成樹脂エマルションの配合率を前記主体混合物の合計質量に対して１〜１０質量％としたことを特徴とする請求項１１記載の非焼成セラミックス体の製造方法。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明の第１の課題解決手段は、骨材と珪藻土と石灰との主体混合物と、水との混合物からなる非焼成セラミックス体であって、前記主体混合物の配合率を、骨材が４０〜６０質量％、珪藻土が２０〜４０質量％、石灰が１０〜３０質量％とし、水の配合率を前記主体混合物の合計質量に対して５〜２５質量％としたことを特徴とする非焼成セラミックス体である。
【手続補正７】
【補正対象書類名】明細書
【補正対象項目名】００１８
【補正方法】変更
【補正の内容】
【００１８】
本発明の第２の課題解決手段は、骨材と珪藻土と石灰とセメントとの主体混合物と、水との混合物からなる非焼成セラミックス体であって、前記主体混合物の配合率を、骨材が４０〜６０質量％、珪藻土が２０〜４０質量％、石灰が１０〜３０質量％、セメントが１〜２０質量％とし、水の配合率を前記主体混合物の合計質量に対して５〜２５質量％としたことを特徴とする非焼成セラミックス体である。
【手続補正８】
【補正対象書類名】明細書
【補正対象項目名】００１９
【補正方法】変更
【補正の内容】
【００１９】
本発明の第３の課題解決手段は、骨材と珪藻土と石灰との主体混合物と、水と、合成樹脂エマルションとの混合物からなる非焼成セラミックス体であって、前記主体混合物の配合率を、骨材が４０〜６０質量％、珪藻土が２０〜４０質量％、石灰が１０〜３０質量％とし、水の配合率を前記主体混合物の合計質量に対して５〜２５質量％とし、合成樹脂エマルションの配合率を前記主体混合物の合計質量に対して１〜１０質量％としたことを特徴とする非焼成セラミックス体である。
【手続補正９】
【補正対象書類名】明細書
【補正対象項目名】００２０
【補正方法】変更
【補正の内容】
【００２０】
本発明の第４の課題解決手段は、骨材と珪藻土と石灰とセメントとの主体混合物と、水と、合成樹脂エマルションとの混合物からなる非焼成セラミックス体であって、前記主体混合物の配合率を、骨材が４０〜６０質量％、珪藻土が２０〜４０質量％、石灰が１０〜３０質量％、セメントが１〜２０質量％とし、水の配合率を前記主体混合物の合計質量に対して５〜２５質量％とし、合成樹脂エマルションの配合率を前記主体混合物の合計質量に対して１〜１０質量％としたことを特徴とする非焼成セラミックス体である。
【手続補正１０】
【補正対象書類名】明細書
【補正対象項目名】００２１
【補正方法】変更
【補正の内容】
【００２１】
本発明の第５の課題解決手段は、前記合成樹脂エマルションがエチレン酢酸ビニル共重合体エマルション（ＥＶＡ）であることを特徴とする第３又は４の課題解決手段の非焼成セラミックス体である。
【手続補正１１】
【補正対象書類名】明細書
【補正対象項目名】００２２
【補正方法】変更
【補正の内容】
【００２２】
本発明の第６の課題解決手段は、前記骨材が廃陶磁器粉砕物であることを特徴とする第１、２、３、４、又は５の課題解決手段の非焼成セラミックス体である。
【手続補正１２】
【補正対象書類名】明細書
【補正対象項目名】００２３
【補正方法】変更
【補正の内容】
【００２３】
本発明の第７の課題解決手段は、前記珪藻土が石川県産の珪藻土であることを特徴とする第１、２、３、４、５、又は６の課題解決手段の非焼成セラミックス体である。
【手続補正１３】
【補正対象書類名】明細書
【補正対象項目名】００２４
【補正方法】変更
【補正の内容】
【００２４】
本発明の第８の課題解決手段は、骨材と珪藻土と石灰との主体混合物と、水とを混合した後、成形し、乾燥させることを特徴とする非焼成セラミックス体の製造方法である。
【手続補正１４】
【補正対象書類名】明細書
【補正対象項目名】００２５
【補正方法】変更
【補正の内容】
【００２５】
本発明の第９の課題解決手段は、骨材と珪藻土と石灰とセメントとの主体混合物と、水とを混合した後、成形し、乾燥させることを特徴とする非焼成セラミックス体の製造方法である。
【手続補正１５】
【補正対象書類名】明細書
【補正対象項目名】００２６
【補正方法】変更
【補正の内容】
【００２６】
本発明の第１０の課題解決手段は、骨材と珪藻土と石灰との主体混合物と、水と、合成樹脂エマルションとを混合した後、成形し、乾燥させることを特徴とする非焼成セラミックス体の製造方法である。
【手続補正１６】
【補正対象書類名】明細書
【補正対象項目名】００２７
【補正方法】変更
【補正の内容】
【００２７】
本発明の第１１の課題解決手段は、骨材と珪藻土と石灰とセメントとの主体混合物と、水と、合成樹脂エマルションとを混合した後、成形し、乾燥させることを特徴とする非焼成セラミックス体の製造方法である。
【手続補正１７】
【補正対象書類名】明細書
【補正対象項目名】００２８
【補正方法】変更
【補正の内容】
【００２８】
本発明の第１２の課題解決手段は、前記主体混合物の配合率を、骨材が４０〜６０質量％、珪藻土が２０〜４０質量％、石灰が１０〜３０質量％とし、水の配合率を前記主体混合物の合計質量に対して５〜２５質量％としたことを特徴とする第８の課題解決手段の非焼成セラミックス体の製造方法である。
【手続補正１８】
【補正対象書類名】明細書
【補正対象項目名】００２９
【補正方法】変更
【補正の内容】
【００２９】
本発明の第１３の課題解決手段は、前記主体混合物の配合率を、骨材が４０〜６０質量％、珪藻土が２０〜４０質量％、石灰が１０〜３０質量％、セメントが１〜２０質量％とし、水の配合率を前記主体混合物の合計質量に対して５〜２５質量％としたことを特徴とする第９の課題解決手段の非焼成セラミックス体の製造方法である。
【手続補正１９】
【補正対象書類名】明細書
【補正対象項目名】００３０
【補正方法】変更
【補正の内容】
【００３０】
本発明の第１４の課題解決手段は、前記主体混合物の配合率を、骨材が４０〜６０質量％、珪藻土が２０〜４０質量％、石灰が１０〜３０質量％とし、水の配合率を前記主体混合物の合計質量に対して５〜２５質量％とし、合成樹脂エマルションの配合率を前記主体混合物の合計質量に対して１〜１０質量％としたことを特徴とする第１０の課題解決手段の非焼成セラミックス体の製造方法である。
【手続補正２０】
【補正対象書類名】明細書
【補正対象項目名】００３１
【補正方法】変更
【補正の内容】
【００３１】
本発明の第１５の課題解決手段は、前記主体混合物の配合率を、骨材が４０〜６０質量％、珪藻土が２０〜４０質量％、石灰が１０〜３０質量％、セメントが１〜２０質量％とし、水の配合率を前記主体混合物の合計質量に対して５〜２５質量％とし、合成樹脂エマルションの配合率を前記主体混合物の合計質量に対して１〜１０質量％としたことを特徴とする第１１の課題解決手段の非焼成セラミックス体の製造方法である。
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】変更
【補正の内容】
【００３８】
本発明の第１の課題解決手段は、少なくとも、原料を、瓦や陶磁器等の微粉砕物のほか、砕石、砕砂などからなる骨材と珪藻土と石灰と水とし、これらの混合物でもって、非焼成セラミックス体とすることができる。
さらに、製造工程において焼成設備を必要としないため、製造コストの低減を図り、かつ、地球温暖化の原因となる温室効果ガスの一つである二酸化炭素の排出を抑制することができる。
さらに、珪藻土の主成分である二酸化ケイ素（シリカ）が石灰と反応することによってケイ酸カルシウム又はケイ酸カルシウム水和物となって固化することから、強度を備えることができる。
さらに、骨材と多孔質構造である珪藻土とを混合することから、微細な連続気孔を備えた非焼成セラミックス体となり、保水性を備えることができる。
加えて、周辺の湿度が高いときには空気中の水分を吸収し、逆に湿度が低いときには吸収した水分を蒸発させて空気中の湿度の調節を図る調湿作用をも備えることができる。
さらに、本発明の第１の課題解決手段は、混合する各原料の配合率の範囲を特定することにより、骨材と、互いに反応して固化する結合材となった多孔質構造である珪藻土と石灰とが、１〜１０μｍ程度の微細な連続気孔を設けながら、より強固に結合されるため、高い強度と保水性とを備えることができる。
【手続補正２８】
【補正対象書類名】明細書
【補正対象項目名】００３９
【補正方法】変更
【補正の内容】
【００３９】
本発明の第２の課題解決手段は、第１の課題解決手段と同様であるほか、骨材と珪藻土と石灰との主体混合物にセメントを加え、更に水との混合物とすることにより、速やかに凝結・固化し、更に強度を高めた非焼成セラミックス体とすることができる。
さらに、本発明の第２の課題解決手段は、混合する各原料の配合率の範囲を特定することにより、セメントと水による速やかな凝結・固化作用とともに、骨材と、互いに反応して固化する結合材となった多孔質構造である珪藻土と石灰とが、１〜１０μｍ程度の微細な連続気孔を設けながら、より強固に結合されるため、高い強度と保水性とを備えることができる。
【手続補正２９】
【補正対象書類名】明細書
【補正対象項目名】００４０
【補正方法】変更
【補正の内容】
【００４０】
このため、本発明の第１、２の課題解決手段は、例えば舗装用ブロックに成形した場合には、高い強度を保ちながら、その保水機能によって、路面上の水たまりの発生を抑制できるほか、保持した水の気化熱によって路面温度を下げ、夏季のヒートアイランド現象を緩和させることができる。
【手続補正３０】
【補正対象書類名】明細書
【補正対象項目名】００４１
【補正方法】変更
【補正の内容】
【００４１】
本発明の第３、４の課題解決手段は、骨材と珪藻土と石灰との主体混合物（更にセメントを加えたもの）と、水との混合物に、合成樹脂エマルションを加えた混合物とすることにより、広範囲にわたって、結合材である合成樹脂エマルションが、微細な連続気孔に入り込んで固化して（アンカー効果又は投錨効果）、強固に結合されるため、保水性を備えるものの、冬季に多数の微細な連続気孔に保持した水が凍結し、その体積の膨張による内部応力によって、非焼成セラミックス体自体にひび割れが発生してしまうという凍害を抑制することができる。
さらに、本発明の第３、４の課題解決手段は、混合する各原料の配合率の範囲を特定することにより、高い強度と保水性とを備えた上に、結合材である合成樹脂エマルションが、広範囲にわたって、微細な連続気孔に入り込んで固化するため（アンカー効果又は投錨効果）、いっそう強固に結合されるため、また更に高い強度を備えることができる。
【手続補正３１】
【補正対象書類名】明細書
【補正対象項目名】００４３
【補正方法】変更
【補正の内容】
【００４３】
本発明の第５の課題解決手段は、合成樹脂エマルションを、エチレン酢酸ビニル共重合体エマルション（ＥＶＡ）に特定することにより、極めて高い強度を備えたものとすることができる。
【手続補正３２】
【補正対象書類名】明細書
【補正対象項目名】００４６
【補正方法】変更
【補正の内容】
【００４６】
本発明の第６の課題解決手段は、多孔質構造である骨材として、廃棄された瓦や廃棄された陶磁器などを微粉砕した廃陶磁器粉砕物を用いることにより、資源の再利用を図ることができる。
【手続補正３３】
【補正対象書類名】明細書
【補正対象項目名】００４７
【補正方法】変更
【補正の内容】
【００４７】
本発明の第７の課題解決手段は、珪藻土を、他の産地の珪藻土と比べて粘土を多く含んだ石川県産の珪藻土に特定することにより、他の産地の珪藻土を混合した場合と比べ、更に高い強度を備えることができる。
これは、粘土の主成分が二酸化ケイ素と酸化アルミニウム（アルミナ）とであることから、石灰と反応して固化し易いため、高い強度を促進させることになるからである。
【手続補正３４】
【補正対象書類名】明細書
【補正対象項目名】００４８
【補正方法】変更
【補正の内容】
【００４８】
本発明の第８の課題解決手段は、製造工程において焼成設備を必要としないため、製造コストの低減を図り、かつ、地球温暖化の原因となる温室効果ガスの一つである二酸化炭素の排出を抑制することができる非焼成セラミックス体を製造することができる。
さらに、強度と保水性とを備えた非焼成セラミックス体を製造することができる。
【手続補正３５】
【補正対象書類名】明細書
【補正対象項目名】００４９
【補正方法】変更
【補正の内容】
【００４９】
本発明の第９の課題解決手段は、第８の課題解決手段と同様であるほか、骨材と珪藻土と石灰と水とにセメントを加え、混合した後、成形し、乾燥させることにより、速やかに凝結・固化させることができ、かつ、強度を高めた非焼成セラミックス体を製造することができる。
【手続補正３６】
【補正対象書類名】明細書
【補正対象項目名】００５０
【補正方法】変更
【補正の内容】
【００５０】
本発明の第１０、１１の課題解決手段は、強固に結合されるため、保水性を備えるものの、冬季に多数の微細な気孔に保持した水が凍結し、その体積の膨張による内部応力によって、ひび割れが発生してしまうという凍害を抑制することができる非焼成セラミックス体を製造することができる。
【手続補正３７】
【補正対象書類名】明細書
【補正対象項目名】００５１
【補正方法】変更
【補正の内容】
【００５１】
本発明の第１２の課題解決手段は、混合する各原料の配合率の範囲を特定することにより、より強固に結合されるため、高い強度と保水性とを備えた非焼成セラミックス体を製造することができる。
【手続補正３８】
【補正対象書類名】明細書
【補正対象項目名】００５２
【補正方法】変更
【補正の内容】
【００５２】
本発明の第１３の課題解決手段は、混合する各原料の配合率の範囲を特定することにより、より速やかに凝結・固化されて、より強固に結合されるため、高い強度と保水性とを備えた非焼成セラミックス体を製造することができる。
【手続補正３９】
【補正対象書類名】明細書
【補正対象項目名】００５３
【補正方法】変更
【補正の内容】
【００５３】
本発明の第１４、１５の課題解決手段は、混合する各原料の配合率の範囲を特定することにより、よりいっそう強固に結合されるため、保水性を備えるものの、冬季に多数の微細な気孔に保持した水が凍結し、その体積の膨張による内部応力によって、ひび割れが発生してしまうという凍害のおそれがいっそうない非焼成セラミックス体を製造することができる。